(57)【特許請求の範囲】
【請求項１】
一辺が開放されていてこの部分が広く、内部へ向かうほど狭くなる構造の毛髪を挟持するための空隙と、当該空隙に挟持された毛髪に対しそれぞれ異なる角度で光を照射するための少なくとも２つの光源と、各々の光源から照射された光の毛髪表面での反射光を感知するための受光部と、異なった光源からの光に対する反射光強度により決定される毛髪のつやの程度を表示する表示部とを有する毛髪のつや測定器具。
【請求項２】
光の照射方向を、毛髪の長手方向とほぼ一致するようにしたものである請求項１記載の毛髪のつや測定器具。
【請求項３】
反射光が正反射と拡散反射になるように、毛髪表面に対する各光源および受光部が配置されている請求項１または２記載の毛髪のつや測定器具。
【請求項４】
正反射が入射角４５°かつ反射角４５°であり、拡散反射が、入射角９０°かつ反射角４５°となるように調節されている請求項３記載の毛髪のつや測定器具。
【請求項５】
さらにリファレンス部を備えた請求項１ないし４のいずれかの項記載の毛髪のつや測定器具。
【発明の詳細な説明】
【０００１】
【発明の属する技術分野】
本発明は、毛髪を切断したり、負担をかけたりすることなく、簡便に毛髪のつやを測定あるいは評価できる器具に関する。
【０００２】
【従来の技術】
毛髪のつやは、毛髪の損傷や疲労の度合い、すなわち毛髪の健康度を示すとともに、外観上の美しさの大きな要因であるため特に若者や女性の関心が高い。また、シャンプー、リンス、整髪料等の毛髪化粧料の効果を判断する上でも重要な指標となる。このため従来より、様々な方法で毛髪のつやの測定が行われてきた。
【０００３】
これまで一般的な毛髪のつや測定方法は、目視で評価する方法であるが、この方法で客観的な評価を行うには専門的な知識と経験が必要となるため、販売現場などで手軽に実施できないという欠点があった。特に近年ではカラーリングされた毛髪も多くなり、目視によるつやの客観的な評価は一層困難になってきている。
【０００４】
一方、機械的手段で毛髪のつやを測定する方法として、カラー画像解析による方法（特開平４−１０５０４５号）が知られており、また、皮膚表面の性状を測定するために物体に光を照射し、その反射光を検知・解析する方法（特開平７−７１９４５号、特開平１０−１３７１９４号）も知られている。
しかし、いずれの方法も、装置が大がかりで測定方法も複雑であるため、ユーザー自身による測定や店頭などでの簡易な測定には利用できないという欠点があった。
【０００５】
【発明が解決しようとする課題】
従って、毛髪に負担を与えることなく、簡便に、しかも毛髪の色に影響を受けずに客観的につやを測定できる器具の提供が求められていた。
【０００６】
【課題を解決するための手段】
本発明者らは、上記課題を解決すべく鋭意研究を行った結果、毛髪表面に複数の角度で光を照射し、それぞれの反射光の違いを求め、これを数値化した場合、入射角と反射角を適当に調整することにより、得られる数値が専門家の目視による毛髪のつや評価の結果と高い相関関係を示すとの知見を得た。そして、この測定原理を利用すれば簡易な器具で毛髪のつやを測定可能であることを見出し、本発明を完成するに至った。
【０００７】
すなわち本発明は、毛髪を挟持するための空隙と、当該空隙に挟持された毛髪に対しそれぞれ異なる角度で光を照射するための少なくとも２つの光源と、各々の光源から照射された光の毛髪表面での反射光を感知するための受光部と、異なった光源からの光に対する反射光強度により決定される毛髪のつやの程度を表示する表示部とを有する毛髪のつや測定器具を提供するものである。
【０００８】
【発明の実施の形態】
以下、本発明の一実施例を示す図面を挙げ、本発明を詳細に説明する。
【０００９】
図１は、本発明の一実施例である毛髪つや測定器具の平面図、図２はその側面図であり、図３は、図２のＢ−Ｂ'方向の断面図、図４は、図１のＡ−Ａ'方向の部分断面図を示す。各図中、１は本体、２は空隙、３ａおよび３ｂは光源、４は受光部、５はリファレンス用受光部を示し、６は毛髪を、７は表示部を示す。
【００１０】
つやを測定すべき毛髪６は、その適当量（本数）が空隙２に挟持される。空隙２は、図２および図４に示すように、一辺が開放されていてこの部分が広く、内部へ向かうほど狭くなって毛髪を挟持する構造になっている。この空隙２の幅は適切に定めることができるが、一般には毛髪を挟持する部分では１〜３ｍｍ程度、特に１〜２ｍｍ程度とすることが好ましい。また、この空隙２は、図３に示すように幅広く手前から向こう側まで連通する構造になっているため、ここに毛髪を挟持すれば、毛髪は必然的にその長手方向と、光の照射方向（光源３ａ、３ｂと受光部４を結ぶ方向）がほぼ一致するようになる。このように、毛髪の長手方向と光の照射方向は一致することが好ましいが、必ずしも完全に一致する必要はなく、実際の測定においては３０〜４５゜程度の誤差は許容される。このような空隙の構造により、毛髪を捕らえやすく、かつ、挟持される毛髪量も自動的にほぼ一定に調節され、更に毛髪に照射される光も一定方向とすることが可能となる。
【００１１】
なお、空隙２に挟持される毛髪６の長さがあまり短いと、毛髪が照射部位で垂直方向に上下に湾曲してしまい測定誤差が生じるおそれがあるため、測定に使用する毛髪はある程度の長さのものを使用することが好ましい。
【００１２】
空隙２に挟持された毛髪６は、光源３ａおよび３ｂからの光の照射を受け、それらの反射光が受光部４で感知される。図１ないし図４で示される器具では、光源３ａと受光部４は毛髪表面を介してほぼ直角（９０°）に配置され、光源３ｂと受光部４は毛髪表面を介してほぼ４５°に配置されている。光源３ａからの光は毛髪表面に入射角４５°で照射され、正反射光として受光部４で感知される。また、光源３ｂからの光も同様に毛髪表面で反射するが、このうちの４５°の角度に拡散反射した光のみが受光部４に感知される。ここにおいて使用される光源としては発光ダイオード（ＬＥＤ）等を使用でき、また、受光部としてはフォトダイオード等を使用できる。
【００１３】
この受光部４で感知された正反射光と拡散反射光の強度は、それぞれ器具内部の装置（図示せず）により、記憶、演算可能な情報に変換され、予め、組み込まれていたプログラムに従い、毛髪のつやの計測・評価情報として表示部７に表示される。表示部７における表示は、数値、面積、ランプの点滅、ランプの光強度、記号、図形、色彩の変化などの単純な方法で定量的に毛髪のつやの程度を表現することができる。
【００１４】
更に、本発明の器具においては、図３および図４に示すように、挟持された毛髪に光が照射される部位の直下にリファレンス用受光部５を設けることができる。このレファレンス用受光部５は、光源３ａと３ｂの光強度が同じになるように補正するもので、必ずしも必須ではないが、より精度の高い測定を行うためには、これを設けることが好ましい。
【００１５】
なお、この図１〜図４で示される実施例では器具の全体の形状が縦長の６面体に近い形であり、器具の空隙２の反対側は握りやすいように構成されているが、このような形状に限らず、例えば、図５または図６に示すように、全体が掌に納まるようなサイズの円盤形もしくは多角形の板状等であってもよく、また、そのような形状の主要部分（光源、受光部および空隙や表示部）と別に、図７または図８に示されるような棒状、取っ手等の慣用の握り部分を設けた形状であってもよい。
【００１６】
本発明器具で毛髪のツヤが測定される基本的な原理は、図９に示すように光源３ａから照射された光の正反射（入射角θ１、反射角θ１'）と光源３ｂから照射された光の拡散反射（入射角θ２、反射角θ１'）を測定し、これらの強度の差から毛髪のつやを判定するというものである。
従って、この原理を利用する限り、本発明の器具には種々の変更が可能である。例えば、光源から照射される光の入射角を適当に変更することもできるし、また二以上の光源に代えて移動可能な単一の光源を用いることもできる。更に、光源ではなく受光部を複数設けることも可能である。これらの変更は、経済性、測定の目的精度等を考慮して実施することができる。
【００１７】
以上説明した本発明の器具は、簡明な測定原理を利用するものであるため、ハンディタイプに小型化されたものである。また、空隙に挟持するという簡単な操作により毛髪の方向をそろえることが可能であるため、従来の同目的の装置で要求されていた、毛髪の切断や、測定前における試料毛髪の櫛すきといった操作が不要であり、更に、毛髪を固定する為の押さえ具などは必要とせず、利便性に優れたものである。
【００１８】
試 験 例
図１から図４で示される本発明測定器具を用いて、毛髪のつやを測定し、専門評価者による目視評価との相関を調べた。なお、用いた器具の光源強度は、５カンデラで、毛髪表面までの距離は０．５ｃｍであり、正反射は入射光および反射光とも４５゜、拡散反射は入射光９０゜、反射光４５゜であった。
【００１９】
（１）目視による評価：
被験毛髪８７検体に対し、目視により以下の評価基準でつやの評価を行った。なお、被験毛髪の中で、３９検体はカラーリング（ヘアマニキュア、ヘアダイ、ブリーチ等）を施してある毛髪であった。
【００２０】
＜評価基準＞
点数     評  価  内  容
１  ：  つやが全くない。
２  ：  あまりつやがない。
３  ：  まあまあつやがある。
４  ：  ナチュラルなキラキラ輝いたつや。
５  ：  ジェルやムースなどウェット感のあるつや。
６  ：  グロススプレーなどのギラついたつや。
７  ：  オイルなどの油っこくギラギラしたつや。
【００２１】
（２）本発明器具による測定：
目視の場合と同じ被験毛髪について、後頭部の頭皮から約１０ｃｍの位置で毛髪が束になるようにコームでとかして測定を行った。
【００２２】
（３）結果：
目視による評価と本発明器具による測定データ（電位差の平均値）との関係をカラーリングの有無別に図１０および１１に示した。この結果から、カラーリングの有無に関わらず、専門家による目視評価と本発明器具による測定結果との間に明らかな相関関係があることが証明された。
なお、カラーリング有りのグループでは同一スコアのカラーリング無しの場合に比べ、若干電位差が高い傾向にあること、および電位差のばらつきが大きくなる傾向にある。
【００２３】
【発明の効果】
本発明の毛髪つや測定器具を用いることにより、カラーリングの有無に関わらず、また、毛髪に負担をかけることなく毛髪のつやの客観的な評価が可能となる。しかも、本発明器具は小型で使用方法も簡便なため、販売店の店頭などでも容易に毛髪のつやを測定でき有利である。
【図面の簡単な説明】
【図１】  本発明の一実施例である毛髪つや測定器具の平面図。
【図２】  本発明の一実施例である毛髪つや測定器具の側面図。
【図３】  本発明の一実施例である毛髪つや測定器具の横断面図。
【図４】  本発明の一実施例である毛髪つや測定器具の縦部分断面図。
【図５】  本発明の別の実施例である毛髪つや測定器具の平面図。
【図６】  本発明の他の実施例である毛髪つや測定器具の平面図。
【図７】  本発明の別の他の実施例である毛髪つや測定器具の平面図。
【図８】  本発明のさらに別の実施例である毛髪つや測定器具の平面図。
【図９】  本発明器具の測定原理、特に光源と毛髪と受光部との関係を模式的に表した図面。
【図１０】  目視による評価と本発明器具による測定結果の相関関係を表したグラフ図面（カラーリング無しの場合）。
【図１１】  目視による評価と本発明器具による測定結果の相関関係を表したグラフ図面（カラーリング有りの場合）。
【符号の説明】
１ ・・・ ・・・ 本体
２ ・・・ ・・・ 空隙
３ａ、３ｂ ・・・ ・・・ 光源
４ ・・・ ・・・ 受光部
５ ・・・ ・・・ リファレンス用受光部
６ ・・・ ・・・ 毛髪
７ ・・・ ・・・ 表示部
以    上
【図１】
0003641370.tif 000002
【図２】
0003641370.tif 000003
【図３】
0003641370.tif 000004
【図４】
0003641370.tif 000005
【図５】
0003641370.tif 000006
【図６】
0003641370.tif 000007
【図７】
0003641370.tif 000008
【図８】
0003641370.tif 000009
【図９】
0003641370.tif 000010
【図１０】
0003641370.tif 000011
【図１１】
0003641370.tif 000012